(57)【要約】      （修正有）【課題】立ち姿で、シャワーと浴槽との双方の特性を合わせ持つことにより、シャワーしながら浴槽に入っている気分が味わえるシャワー浴槽を提供する。【解決手段】立ち姿の洗浄者５００の周囲を、入浴空間として囲む防水性及び可撓性を有する有底筒体の筒状シート１００と、前記筒状シート１００を径方向に広がる方向に張設して支持し、該張設支持された筒状シート１００を軸方向に伸長させた起立姿勢とこれより軸方向に圧縮させた折畳姿勢とに伸縮自在に支持するスプリング２００と、前記筒状シート１００の筒状開口部に備えられ、該筒状シート内の立ち姿の洗浄者５００に向けて噴射されたシャワー水が該筒状シート外に飛散するのを防止する飛散防止カバー３００とを備え、前記筒状シート内にシャワー水を溜める構成としたシャワー浴槽１である。【選択図】図７
2011019787.tif 000002
【特許請求の範囲】
【請求項１】
立ち姿の洗浄者の周囲を入浴空間として囲む防水性及び可撓性を有する有底筒体の筒状シートと、
前記筒状シートを径方向に広がる方向に張設して支持し、該張設支持された筒状シートを軸方向に伸長させた起立姿勢とこれより軸方向に圧縮させた折畳姿勢とに伸縮自在に支持する環状支持体と、
前記筒状シートの筒状開口部に備えられ、該筒状シート内の立ち姿の洗浄者に向けて噴射されたシャワー水が該筒状シート外に飛散するのを防止する飛散防止カバーとを備え、前記筒状シート内にシャワー水を溜める構成とした
シャワー浴槽。
【請求項２】
前記筒状シートには、
該筒状シートの筒状開口部に位置する環状支持体を径方向に拡縮させて、該筒状シートの筒状開口部の大きさを変える拡縮手段を備えた
請求項１に記載のシャワー浴槽。
【請求項３】
前記拡縮手段を、
前記筒状シートの筒状開口部に位置する環状支持体が大径に広がった状態で係止する大径係止手段と、
前記筒状シートの筒状開口部に位置する環状支持体が小径に絞られた縮小状態で係止する小径係止手段とで構成した
請求項２に記載のシャワー浴槽。
【請求項４】
前記環状支持体を、
前記筒状シートの軸方向における周囲に沿って螺旋方向に摺動自在に巻回して取り付け、且つ筒状シートの軸方向に伸縮自在な弾性を有して該筒状シートを軸方向及び周方向に張設支持するコイル状のスプリングで構成した
請求項１、２または３に記載のシャワー浴槽。
【請求項５】
前記飛散防止カバーには、
シャワー室の支持壁の係止部材に係止させて該飛散防止カバーを立ち上がらせる係止部を備えた
請求項１乃至４の何れか１項に記載のシャワー浴槽。
【請求項６】
前記環状支持体を、
前記筒状シートの軸方向における筒状開口部側を囲って支持するコイル状のスプリングと、
前記筒状シートの軸方向における筒状閉鎖部側を囲って支持する複数の支持リングとで構成した
請求項４に記載のシャワー浴槽。
【請求項７】
前記筒状シートには、
該筒状シートの軸方向における筒状閉鎖部側に補強用の有底筒体を備えた
請求項１乃至６の何れか１項に記載のシャワー浴槽。
【請求項８】
前記筒状シートを、
該筒状シートの軸方向における周囲を該筒状シートが蛇腹状に伸縮自在に複数の支持リングで囲って構成した
請求項１乃至７の何れか１項に記載のシャワー浴槽。
【請求項９】
前記筒状シートには、
該筒状シートの下部に、筒状シートの内部と連通して筒状シートの外部に略垂直に立ち上げられる排水管と、
前記排水管の下部に、該排水管を起立姿勢と傾倒姿勢とに切換えさせる起立傾倒手段とを備えた
請求項１乃至８の何れか１項に記載のシャワー浴槽。
【発明の詳細な説明】
【技術分野】
【０００１】
この発明は、シャワーしながら身体を温めるシャワー浴槽に関し、さらに詳しくは立ち姿のままシャワーと入浴とを可能にしたシャワー浴槽に関する。
【背景技術】
【０００２】
一般に、浴室やシャワー室で利用されるシャワーは短時間に身体の汚れを洗い流せることから家庭などにおいても広く利用されている。ところが、シャワーヘッドから噴出されるシャワー水は、そのシャワー水を洗浄者が浴びて流下する僅かの間しか利用されず、シャワー水は床面からそのまま下方に生活排水として流れ、シャワー水を有効に利用できていなかった。ことに、季節的に寒い時期や身体が冷えている場合には寒さを避けるため温水シャワーを長くかけ続けることになり、多量の温水シャワーが使用されることになる。
【０００３】
このような問題を解決するため、シャワーヘッドの下方に折り畳み可能な蛇腹構造の浴槽を配置し、ここにシャワーヘッドより噴出した温水を溜め、浴槽に入りながらシャワーできるようにした簡易浴槽が提案されている(例えば特許文献１参照)。
【０００４】
しかし、このような簡易浴槽では温水シャワーなどから多量の湯を溜めるために時間がかかり、通常の浴槽として使用するのと変わらず、シャワー施設と浴槽施設とを上下に対設させたにすぎず、シャワー機能と浴槽機能とを満足する状態に共用させることができなかった。
【０００５】
このほかにも頂部を吊支して周囲を筒状のカバーで囲ったシャワールームを作成し、この独立したシャワールームにより洗浄者が簡易にシャワーできるようにした簡易シャワーが提案されている(例えば特許文献２参照)。
【０００６】
しかし、このような簡易シャワーは設備が大掛かりで独立した大きな配置スペースを要していた。さらに、利用に際してはシャワー機能だけであり、温水シャワーの温水を有効に利用するような新たな技術はみられない。
【０００７】
さらに、多数のシャワーノズルを周囲に配置させ、その多数のシャワーノズルから洗浄水を一斉に噴出させることにより、立ち姿勢あるいは座り姿勢の洗浄者の身体を多方向から一気に洗浄できるようにしたシャワー洗浄装置が提案されている（例えば特許文献３参照）。
【０００８】
しかし、このようなシャワー洗浄装置は多くのシャワーノズルとその多くの噴出装置を必要とするため設備費が嵩み、また洗浄者に対し、多方向からシャワー水を吹き付けるという機械的な洗浄であり、シャワーを浴びる部分を自由に変えて心地よく身体を洗うものでもなく、また立ち姿で身体を湯に浸けて温めるという浴槽に関する技術を有するものでもない。
【先行技術文献】
【特許文献】
【０００９】
【特許文献１】特開平８−４９０号
【特許文献２】実開平６−４５５９０号
【特許文献３】特開２００１−１４９４４０号
【発明の概要】
【発明が解決しようとする課題】
【００１０】
そこでこの発明は、上述の課題に鑑み、立ち姿でシャワーしながら浴槽に入っている気分が味わえるというシャワーと浴槽との双方の長所を合わせ持つことができるシャワー浴槽を提供することを課題とする。
【課題を解決するための手段】
【００１１】
この発明は、立ち姿の洗浄者の周囲を入浴空間として囲む防水性及び可撓性を有する有底筒体の筒状シートと、前記筒状シートを径方向に広がる方向に張設して支持し、該張設支持された筒状シートを軸方向に伸長させた起立姿勢とこれより軸方向に圧縮させた折畳姿勢とに伸縮自在に支持する環状支持体と、前記筒状シートの筒状開口部に備えられ、該筒状シート内の立ち姿の洗浄者に向けて噴射されたシャワー水が該筒状シート外に飛散するのを防止する飛散防止カバーとを備え、前記筒状シート内にシャワー水を溜める構成としたシャワー浴槽であることを特徴とする。
【００１２】
他の実施態様として、前記筒状シートには、該筒状シートの筒状開口部に位置する環状支持体を径方向に拡縮させて、該筒状シートの筒状開口部の大きさを変える拡縮手段を備えて構成することができる。
【００１３】
他の実施態様として、前記拡縮手段を、前記筒状シートの筒状開口部に位置する環状支持体が大径に広がった状態で位置決め係止する大径係止手段と、前記筒状シートの筒状開口部に位置する環状支持体が小径に絞られた縮小状態で位置決め係止する小径係止手段とで構成することができる。
【００１４】
他の実施態様として、前記環状支持体を、前記筒状シートの軸方向における周囲に沿って螺旋方向に摺動自在に巻回して取り付け、且つ筒状シートの軸方向に伸縮自在な弾性を有して該筒状シートを軸方向及び周方向に張設支持するコイル状のスプリングで構成することができる。
【００１５】
他の実施態様として、前記飛散防止カバーには、シャワー室の支持壁の係止部材に係止させて該飛散防止カバーを立ち上がらせる係止部を備えて構成することができる。
【００１６】
他の実施態様として、前記環状支持体を、前記筒状シートの軸方向における筒状開口部側を囲って支持するコイル状のスプリングと、前記筒状シートの軸方向における筒状閉鎖部側を囲って支持する複数の支持リングとで構成することができる。
【００１７】
他の実施態様として、前記筒状シートには、該筒状シートの軸方向における筒状閉鎖部側に補強用の有底筒体を備えて構成することができる。
【００１８】
他の実施態様として、前記筒状シートを、該筒状シートの軸方向における周囲を該筒状シートが蛇腹状に伸縮自在に複数の支持リングで囲って構成することができる。
【００１９】
他の実施態様として、前記筒状シートには、該筒状シートの下部に、筒状シートの内部と連通して筒状シートの外部に略垂直に立ち上げられる排水管と、前記排水管の下部に、該排水管を起立姿勢と傾倒姿勢とに切換えさせる起立傾倒手段とを備えて構成することができる。
【発明の効果】
【００２０】
この発明によれば、温水シャワーを浴びると、身体の周囲に温水が次第に溜まるため身体を温めながら心地よく身体を洗うことができる。また、立ち姿の洗浄者の周囲に湯を溜めることができる立ち風呂として利用できる。この立ち風呂は、立ち姿の洗浄者の身体を湯が包み込むという円柱状の立体的な浴槽となり、少量の湯で浴槽を満たすことができる。また、不使用時にはコンパクトに折り畳んで簡単に持ち運ぶことができる。
【図面の簡単な説明】
【００２１】
【図１】実施例１のシャワー浴槽を示す正面図。
【図２】（Ａ）は実施例１のシャワー浴槽を示す左側面図、（Ｂ）はその平面図、（Ｃ）はその底面図。
【図３】（Ａ）は実施例１のシャワー浴槽の折り畳み状態を示す正面図、（Ｂ）はそのときのスプリングが圧縮された状態を示す概略説明図、（Ｃ）は実施例１のシャワー浴槽の立ち上げた状態を示す正面図、（Ｄ）はそのときのスプリングが伸長した状態を示す概略説明図。
【図４】（Ａ）は実施例１のシャワー浴槽の折畳完了状態を示す左側面図、（Ｂ）はシャワー浴槽を立ち上げたスプリング伸長時の状態を示す左側面図、（Ｃ）はシャワー浴槽の立ち上げ後におけるスプリングの引き出し動作を示す要部左側面図、（Ｄ）は筒状開口部を小径に絞った時のスプリングの係止対応状態を示す要部左側面図、（Ｅ）は筒状開口部を小径に絞った時のスプリングの係止状態を示す要部左側面図。
【図５】（Ａ）は実施例１のシャワー浴槽の飛散防止カバーを示す要部正面図、（Ｂ）はその使用状態を示す要部側面図、（Ｃ）は飛散防止カバー上部の係止構造を変えた他の例を示す要部正面図、（Ｄ）は飛散防止カバー上部の他の係止構造を示す係止前の説明図、（Ｅ）は飛散防止カバー上部の他の係止構造を示す係止動作を示す説明図、（Ｆ）は飛散防止カバー上部の他の係止構造を示す係止完了状態を示す説明図。
【図６】（Ａ）は実施例１のシャワー浴槽の使用初期状態を示す正面図、（Ｂ）はその使用状態を示す正面図。
【図７】（Ａ）は実施例１のシャワー浴槽の使用状態を示す要部断面図、（Ｂ）はシャワー方向を側方に変えた場合の使用状態を示す正面図。
【図８】実施例２のシャワー浴槽を示す正面図。
【図９】実施例３のシャワー浴槽を示す正面図。
【図１０】（Ａ）は実施例４のシャワー浴槽を立ち上げた状態を示す正面図、（Ｂ）はそのシャワー浴槽の折り畳み状態を示す正面図。
【図１１】（Ａ）は実施例４のシャワー浴槽を示す平面図、（Ｂ）はその上部を小径に絞った状態を示す平面図、（Ｃ）はその上部絞り前の状態を示す要部説明図、（Ｄ）はその上部を少し絞った状態を示す要部説明図、（Ｅ）はその上部を多く絞った状態を示す要部説明図、（Ｆ）はその上部をさらに多く絞った状態を示す要部説明図。
【図１２】（Ａ）は実施例５のシャワー浴槽の使用状態を示す正面図、（Ｂ）はそのシャワー浴槽の排水状態を示す正面図。
【発明を実施するための形態】
【００２２】
この発明の実施の形態を図面に基づいて説明する。図面はシャワー浴槽を示し、シャワーの機能に加えて浴槽の機能を合わせ持つことができるシャワー浴槽の実施形態を示す。
【実施例１】
【００２３】
図１及び図２はシャワーと浴槽とを兼ね備えたシャワー浴槽１を示し、このシャワー浴槽１は立ち姿の洗浄者の周囲を入浴空間として囲む底部を閉じた有底筒体の筒状シート１００と、該筒状シート１００を径方向に広がる方向に張設して支持し、該張設支持された筒状シート１００を軸方向に伸長させた起立姿勢とこれより軸方向に圧縮させた折畳姿勢とに伸縮自在に支持するスプリング２００と、前記筒状シート１００の筒状開口部１２０に備えられ、該筒状シート内の立ち姿の洗浄者に向けて噴射されたシャワー水が該筒状シート外に飛散するのを防止する飛散防止カバー３００とを備え、筒状シート内にシャワー水を溜める構成としたものである。
【００２４】
前記筒状シート１００は、立ち姿で身体を洗うことができる大きさの筒状を有し、さらに筒状シート１００の内部に湯を溜め、立ち風呂として利用するために筒状の底部１１０を閉じた有底筒体に構成している。ここに用いられるシートの材質は浴槽として、また折畳可能なシートとして使用するため防水性、可撓性に優れ、さらに耐熱性及び耐久性にも富む合成樹脂等のシートを用いる。
【００２５】
筒状シート１００の上面は円形に開口され、この開口された筒状開口部１２０の上部周縁に、上環状ガイド筒１３０と大径係止部１４０と小径係止部１５０とが備えられている。
【００２６】
上環状ガイド筒１３０は、筒状開口部１２０の上部周縁で前記スプリング２００の上部を周方向に挿通させて該スプリング２００を摺動自在に支持する環状の筒体であり、スプリング上部における周方向の拡縮に伴って該上環状ガイド筒１３０が拡縮し、これにより筒状開口部１２０の大きさを拡縮するものである。
【００２７】
具体的には、図３（Ａ）及び図３（Ｂ）に示すように、上環状ガイド筒１３０に挿通されたスプリング２００の上部が弾性復帰して大径に伸びきっている状態と、図３（Ｃ）及び図３（Ｄ）に示すように、上環状ガイド筒１３０に挿通されたスプリング２００の上部が周方向に引き絞られて小径になっている状態とに応じて上環状ガイド筒１３０が拡縮する。
【００２８】
この上環状ガイド筒１３０は常にスプリング２００の持つ径方向の弾性復帰力が働いた張設支持作用を受けてスプリング２００が自由状態で最も大径に支持される。そして、該上環状ガイド筒１３０の周方向の一部に、スプリング２００の拡縮した位置を係止する後述する大径係止部１４０と小径係止部１５０とが備えられる。
【００２９】
上述の大径係止部１４０は、図２（Ａ）に示すように、上環状ガイド筒１３０の一部（図においては左側）を開口した開口部分により構成している。この開口部分がスプリング上端部の格納係止位置となり、またスプリング上端部の取り出し口となっている。この開口部分に対し、スプリング２００が大径状態になった時のスプリング２００の上端部を係止させることにより、大径状態でのスプリング２００を大径状態のまま係止する役目を有している。
【００３０】
前記大径係止部１４０におけるスプリング上端部の位置決め係止に際しては、該スプリング上端部をＬ形状に折曲した係止突起２１０（図４参照）を上環状ガイド筒１３０の開口部分に係止させることで位置決め係止される。
【００３１】
小径係止部１５０は、図２（Ｂ）及び図２（Ｃ）に示すように、上環状ガイド筒１３０の背面側に係止リング１５１を水平に突出し、この係止リング１５１の上下方向に開口されているスプリング係止用の係止孔１５２により構成している。この係止孔１５２に対し、スプリング２００が最も小径に絞られた位置でスプリング２００の上端部が係止されて、小径状態でのスプリング２００を小径状態のまま係止する役目を有している。
【００３２】
さらに、筒状シート１００の下部周縁には、下環状ガイド筒１６０が備えられている。この下環状ガイド筒１６０はスプリング２００の下部を周方向に挿通させて支持する環状の筒体であり、ここに挿通されたスプリング２００の持つ弾性作用によって該下環状ガイド筒１６０は小径に張設支持されている。ここでの小径寸法は立ち風呂に適した筒状となる大きさであり、これより上方にかけて略同径で筒状シート１００を立ち上がらせるものである。
【００３３】
さらに、筒状シート１００の外周面にはスプリング２００を挿通させて螺旋方向にガイドする複数のガイドリング１７０がスプリングの螺旋方向に一定間隔（半周）毎に取り付けられている。
【００３４】
前記スプリング２００は、コイル状を有して軸方向に伸縮自在に設けられ、また筒状シート１００の外周面に取り付けられている各ガイドリング１７０に挿通されて該スプリング２００が筒状シート１００を周方向及び軸方向に張設支持している。また、スプリング２００は各ガイドリング１７０にガイドされることで、筒状シート１００の外周面に沿って螺旋方向に摺動自在にガイドされている。このとき、スプリング２００の持つ弾性力により該スプリング２００は軸方向に弾性復帰し、該スプリング２００の軸方向の伸縮動作に連動して、筒状シート１００を筒状に伸長させて立ち上がらせることができ、また筒状シート１００を蛇腹状に圧縮して折り畳むことができるようにしている。
【００３５】
さらに、スプリング下部は下環状ガイド筒１６０内で固定されており、この下環状ガイド筒１６０を基準に、スプリング上部側は筒状シート１００の外周面に沿って螺旋方向に摺動許容されている。
【００３６】
該スプリング２００は自由状態では、図３（Ｄ）に示すように、軸方向に伸長し、このスプリング伸長状態では、図３（Ｃ）に示すように、筒状シート１００を軸方向に伸長させた起立姿勢に立ち上がらせている。そして、この伸長した状態より筒状シート１００をスプリング伸長方向の付勢力に抗して圧縮させると、筒状シート１００は圧縮されて図３（Ａ）及び図３（Ｂ）に示すように折畳姿勢となる。
【００３７】
前記筒状シート１００を起立させた最大伸長時では、洗浄者の肩高さ付近まで伸びて起立し、立ち姿で身体を温めることができる浴槽深さを有している。そして、この起立高さから圧縮した際は、洗浄者の膝高さ程度、あるいはそれよりも低く圧縮して蛇腹状に折り畳めるようにしている。
【００３８】
さらに、筒状シート１００の折畳姿勢において、折り畳まれた筒状シート１００は嵩が低くなって洗浄者が筒状開口部１２０から入り易くなるが、さらに筒状開口部１２０から洗浄者が入り易いように、洗浄者の出入口となる筒状開口部１２０をスプリング２００によって大径に張設支持している。これにより、筒状シート１００の筒状開口部１２０を形作るスプリング上部は自由状態で周方向に大きく伸長して大径に広がった環状となるようにしている。一方、これより下方は自由状態で立ち姿の洗浄者を囲うのに適した大きさとなる小径に形作っている。
【００３９】
スプリング２００の上端部には下向きに折曲させたＬ形状の係止突起２１０が設けられており、この係止突起２１０が前記係止リング１５１の係止孔１５２に挿通されることにより、スプリング２００の周方向の動きが規制される。
【００４０】
具体的には、図４（Ａ）に示すように、筒状シート１００が軸方向に圧縮されて該筒状シート１００が蛇腹状に折り畳まれた場合、その筒状シート１００を圧縮保持手段によって圧縮状態に保持している。圧縮保持手段としては、例えば圧縮高さに相当する紐長さを有する接続具１５３を設け、該接続具１５３の基端部を筒状シート１００の下部に取り付け、先端部を筒状シート１００の係止リング１５１に係止させることにより筒状シート１００を圧縮状態に保持している。また、圧縮収納スペースを有する図示しない収納ケースに収納して該筒状シート１００を圧縮状態に保持して収納管理するようにしてもよい。
【００４１】
この筒状シート１００が折り畳まれた場合、スプリング２００の上部は上環状ガイド筒１３０により大径に収納支持された状態にある。そのときのスプリング２００の上端部に形成されている係止突起２１０が大径係止部１４０の開口部分に係止されることにより、上環状ガイド筒１３０が大径に広がった状態に保持される。
【００４２】
そして、前記接続具１５３を外して圧縮保持作用を解除すると、スプリング２００は開放されて上向きに弾性復帰し、その復帰力に伴って筒状シート１００を折畳状態から、図４（Ｂ）に示すように、一気に起立状態に立ち上がらせることができる。
【００４３】
この立ち上がった筒状シート１００に対し、さらに洗浄者がその上環状ガイド筒１３０より露出しているスプリング上端部の係止突起２１０を周方向に引っ張って上環状ガイド筒１３０を引き絞るようにすることで該上環状ガイド筒１３０は縮小化し、小径に絞られる。そして、図４（Ｃ）に示すように、係止突起２１０が係止リング１５１に対応した絞込み完了位置で、図４（Ｄ）に示すように、スプリング２００の係止突起２１０が係止リング１５１の係止孔１５２に係止される。この係止時点で小径方向の絞り込みが終わり、上環状ガイド筒１３０は小径となり、該筒状シート１００の内部は立ち姿の洗浄者を囲うのに適した無駄な空間がないシャワー浴槽１となる。
【００４４】
ことに、筒状シート１００の筒状開口部１２０を小径に絞ることにより、筒状シート１００の上部での形状安定性が高まり、また浴槽高さを高くすることができる。
【００４５】
また、上環状ガイド筒１３０の大径度合いと小径度合いを調節して筒状開口部１２０の大きさを自由に拡縮調整できるようにしてもよい。例えば、上環状ガイド筒１３０の周方向に前記係止リング１５１を複数備え、これらの周方向の任意の位置でスプリング２００の係止突起２１０を何れかの係止リング１５１に係止させるようにすれば上環状ガイド筒１３０の大きさを任意の大きさに調整することができる。
【００４６】
ここに用いられるスプリング２００は軸方向の伸縮動作と径方向の拡縮動作との繰り返しに強い耐久性に優れた材質を使用し、さらに上環状ガイド筒１３０やガイドリング１７０との接触時の摩擦抵抗が小さく、しかも水回り製品となるので耐食性に優れた材質を使用する。例えば、十分な強度と弾性を有する合成樹脂性のスプリング、あるいは金属製のバネ線材の外表面を樹脂コーティングしたスプリングを用いるとよい。
【００４７】
前記飛散防止カバー３００は、図５（Ａ）に示すように、筒状シート１００と同材質のシートを用いて正面視三角形状に作成し、その頂部に吊支孔等の係止部３１０を有し、下辺部を筒状開口部１２０内の背面側に取り付けている。これにより、該飛散防止カバー３００を筒状開口部１２０から立ち上げて、その頂部の係止部３１０を、図５（Ｂ）に示すように、例えばシャワー室の支持壁４００に固定されているＪ形状の係止部材４１０に係止させることで取り付けることができる。
【００４８】
このため、飛散防止カバー３００は筒状開口部１２０の中心に対し、その筒状開口部１２０の背面側を円弧形に囲むように配置して、シャワー水が背面側に飛散しないようにし、またシャワー水を筒状シート内に導いて溜めるようにしている。また、この飛散防止カバー３００のカバー面積を増やせばシャワー水の飛散防止率を高めることができる。
【００４９】
このほか、飛散防止カバー３００の係止に際しては、図５（Ｃ）に示すように、該飛散防止カバー３００の頂部側方を一部開放し、この開放部分より前記係止部材４１０を挿入させて係止させるという横型係止部３２０を設けてもよい。
【００５０】
さらに、図５（Ｄ）〜図５（Ｆ）に示すように、ハンドシャワーヘッド４３０を、壁面４４０に固定した受け金具４５０に支持させる構成の場合、図５（Ｄ）に示すように、受け金具４５０に係止可能な形状と大きさの係止開口部（図においては四角形状の開口部）４６０を飛散防止カバー３００の頂部に開口して設ける。
【００５１】
そして、飛散防止カバー３００を取り付ける際は、図５（Ｅ）に示すように、頂部の係止開口部４６０を受け金具４５０に挿通させて係止させた状態で、図５（Ｆ）に示すように、ハンドシャワーヘッド４３０を受け金具４５０に差し込んで支持させると、飛散防止カバー３００は壁面４４０とハンドシャワーヘッド４３０とに挟まれた状態に支持される。その後、ハンドシャワーヘッド４３０を受け金具４５０から外すと、飛散防止カバー３００を外すことができる。このように、飛散防止カバー３００を吊支するのに適した係止手段であればよい。
【００５２】
このように飛散防止カバー３００は、筒状シート１００の筒状開口部１２０に備えられて筒状シート内の立ち姿の洗浄者（図６（Ｂ）参照）に向けて噴射されたシャワー水が筒状シート外に飛散するのを防止する役目を有している。
【００５３】
次に、このように構成されたシャワー浴槽１の使用状態を図６及び図７を参照して説明する。  
まず洗浄者５００は、筒状開口部１２０を上向きにして折り畳まれたシャワー浴槽１を、シャワーを利用する位置に配置し、その配置されたシャワー浴槽１の中央空間に、図６（Ａ）に示すように、洗浄者５００が立ったまま入る。この際、筒状シート１００の高さを低くし、さらに筒状シート１００の上部を大径に広げることにより筒状シート１００の内部に洗浄者５００が入り易くなっている。
【００５４】
この状態で接続具１５３を外して圧縮された状態から解放させると、図４（Ｂ）に示すように、スプリング２００の弾性復帰作用に伴って筒状シート１００が立ち上がり、立ち姿の洗浄者５００の身体の周囲を筒状シート１００が縦長に囲う。このとき、立ち上がった筒状シート１００の上部に付設されている飛散防止カバー３００を上方に引っ張り上げて該飛散防止カバー３００の頂部の係止部３１０を、シャワー室の支持壁４００に固定されている係止部材４１０に係止させる。これにより、飛散防止カバー３００が吊支状態に取り付けられ、筒状シート１００の上方背面側は飛散防止カバー３００によって覆われる。
【００５５】
最後に、この立ち上がった筒状シート１００の上部に位置する上環状ガイド筒１３０から洗浄者５００が係止突起２１０を引き出して周方向の係止リング１５１と対応する位置まで周回し、該係止突起２１０がその係止リング１５１の係止孔１５２に係止されることにより、上環状ガイド筒１３０のスプリング部分が縮小化し、これに伴い上環状ガイド筒１３０が絞られて下方の筒状部分と略同径となる。これにより、筒状シート１００は立ち姿の洗浄者５００を囲うのに適した無駄な空間がないシャワー浴槽１となる。
【００５６】
この状態で洗浄者５００が例えば温水シャワーの利用を開始すると、図６（Ｂ）に示すように、洗浄者５００はシャワー浴槽１内で温水シャワーを浴びることができる。このとき、洗浄者５００は温水シャワーにより身体を洗うだけでなく、そのときに浴びた温水はシャワー浴槽１内に留まり、外部に排出されない。
【００５７】
したがって、図７（Ａ）に示すように、洗浄者５００の身体の周囲に温水が次第に溜まるため、洗浄者５００は身体を温めながら心地よく身体を洗うことができる。また、このシャワーを兼ねた立ち風呂としてのシャワー浴槽１は、屈むことなく立ったまま湯（温水）５１０に浸かり、湯５１０が立ち姿の洗浄者５００の身体を包み込むという円柱状の立体的な浴槽となる。このとき、筒状シート１００と洗浄者５００との間の無駄な空間が少ないため少量の湯５１０でシャワー浴槽１を直ぐに満たすことができる。つまり、立ち姿の洗浄者５００の周りだけ湯が溜まるため、短時間に湯が溜まる。ことに、シャワーし始めて洗浄完了近くになると、それまでの間に湯が溜まるため浴槽として十分満足できる浴槽深さを実現できる。これにより、立ち風呂として利用することができる。
【００５８】
このシャワー浴槽１を使用してシャワー浴槽１から洗浄者５００が出る場合は、まず飛散防止カバー３００を外し、続いて該シャワー浴槽１を上方から押し下げれば、筒状シート１００が下方に圧縮されて蛇腹状に縮まる。このときの圧縮動作に伴い槽内から湯を外部に溢れ出させることができるため容易に排水することができる。排水完了後は、図６（Ａ）に示すように、シャワー浴槽１が元通り蛇腹状に折り畳まれた折畳状態となり、簡単に持ち運ぶことができる。
【００５９】
さらに、シャワー浴槽１は、図７（Ａ）に示すように、固定設置された固定シャワーヘッド４２０を使用する場合、あるいは、図７（Ｂ）に示すように、ハンドタイプのハンドシャワーヘッド４３０を使用する場合においても支障なく、快適に使用することができる。
【００６０】
このようにシャワー浴槽１は洗浄者５００が立ったままシャワーと入浴とが可能なため、シャワー装置があれば適用することができる。このため、簡単な利用が図れる。例えば、シャワー浴槽１を持ち運びして利用できるため、キャンプ等での携帯利用にも適用できる。また、この場合、筒状シートの色をスモーク色等の不透明色にすれば、簡易脱衣所として利用できる。
【００６１】
さらに、介護利用を図る場合も洗浄者５００は立ったままでよく、シャワー浴槽１を伸縮させて使うため洗浄者５００がシャワー浴槽１から出る場合に介護者が引き上げるような労力を要しなくなり、浴槽でありながら大きな段差障害がなく、また無理な姿勢を要しないため介護利用に適した浴槽となる。
【００６２】
また、シャワー装置しかない場所においても、浴槽に入っている気分を味わうことができる利点がある。さらに、温水シャワーに限らず、夏場などで身体を冷やす場合は冷水シャワーを浴びると、身体の周囲に冷水が次第に溜まるため短時間に気持ちよく身体冷やすことができる。したがって、浴槽施設の無い場所や介護利用を図る場合、さらには一般家庭等においても広く利用することができる。
【００６３】
また、シャワー浴槽１の利用に際しては、該シャワー浴槽１の大きさを、Ｌ、Ｍ、Ｓ等の大きさ別に設けて利用者の身体に適した大きさのものを使用するようにすれば子供から大人まで利用者に応じた快適なシャワー浴槽となって利用することができる。
【実施例２】
【００６４】
図８は実施例２のシャワー浴槽８００を示し、このシャワー浴槽８００は、実施例１のシャワー浴槽１と比較して筒状シート１００の下部に複数の支持リング８１０を備えた点が異なり、他は同じ構成である。このため、同じ構成については同符号を用いてその同じ説明を省略し、異なる点についてのみ説明する。
【００６５】
この実施例２の特徴とする支持リング８１０は、筒状シート１００の下部に該筒状シート１００の外径より少し大きい径を有して筒状シート１００の外周面に取り付ける。これにより、該筒状シート１００のシート面を補強するものであり、該支持リング８１０の複数本を筒状シート１００の軸方向に一定間隔ごとに配置して構成したものである（図においては６本の例を示す）。これにより、湯が溜まって負荷が集中するシャワー浴槽８００の下部を十分に補強している。
【００６６】
この場合もシャワー浴槽８００を伸縮する場合は該筒状シート１００を蛇腹状に折り畳んだ状態から上方に立ち上げることができ、また圧縮して折り畳むことができる。さらに、利用に際しても、立ち姿でシャワーしながら浴槽に入っている気分が味わえるシャワーと浴槽との双方の長所を合わせ持つことができる実施例１と同様の使用形態にて利用できる同様の作用効果が得られる。
【実施例３】
【００６７】
図９は実施例３のシャワー浴槽９００を示し、このシャワー浴槽９００は、実施例１のシャワー浴槽１と比較して筒状シート１００の下部に補強用の有底筒体９１０を備えた点が異なり、他は同じ構成である。このため、同じ構成については同符号を用いてその同じ説明を省略し、異なる点についてのみ説明する。
【００６８】
この実施例３の特徴とする有底筒体９１０は、筒状シート１００の軸方向における筒状閉鎖部側となる下部に該筒状シート１００の外径より少し大きい径を有して筒状シート１００の外周面に取り付ける。これにより、該筒状シート１００の下部シート面を補強するものであり、例えば合成樹脂により製作することができる。これにより、湯が溜まって負荷が集中する筒状シート１００の下部を十分に補強することができる。
【００６９】
この有底筒体９１０は筒状シート１００の下部を覆うように配置してもよく、該有底筒体９１０の上端開口部に筒状シートを連結するように構成してもよい。
【００７０】
この場合も筒状シート１００を伸縮する場合は下部の有底筒体９１０を基準に上部の筒状シート１００を蛇腹状に折り畳んだ状態から上方に立ち上げることができ、また圧縮して折り畳むことができる。
【００７１】
さらに、シャワー浴槽９００の下部が強度の高い有底筒体９１０で補強されているため、シャワー浴槽９００の下部に、湯の圧力や洗浄者の足が当たるなど内部からの負荷を受けても外力を受けても変形せず、また損傷するおそれもない。このため、より一層耐久性を高めたシャワー浴槽９００が得られる。
【００７２】
さらに、利用に際しても、立ち姿でシャワーしながら浴槽に入っている気分が味わえるシャワーと浴槽との双方の長所を合わせ持つことができる実施例１と同様の使用形態にて利用できる同様の作用効果が得られる。
【実施例４】
【００７３】
図１０（Ａ）及び図１０（Ｂ）は実施例４のシャワー浴槽１０００を示し、このシャワー浴槽１０００は、実施例１のシャワー浴槽１と比較して筒状シート１００の外周囲を複数の支持リング１０１０で支持した点と上環状ガイド筒１３０を拡縮する係止構造とが異なり、他は同じ構成である。このため、同じ構成については同符号を用いてその同じ説明を省略し、異なる点についてのみ説明する。
【００７４】
この実施例４の特徴とする支持リング１０１０は、筒状シート１００の外径より少し大きい径を有して筒状シート１００の外周面に取り付ける。これにより、該筒状シート１００のシート面を補強するものであり、該支持リング１０１０の複数本を筒状シート１００の軸方向に一定間隔ごとに配置して構成したものである。これにより、湯が溜まって負荷を受けるシャワー浴槽１０００の全体を均一に補強している。また、支持リング１０１０の配置数を増やせば筒状シート１００の補強を高めることができるのは言うまでもない。
【００７５】
この場合もシャワー浴槽１０００を伸縮する場合は、該筒状シート１００を蛇腹状に折り畳んだ状態から図１０（Ａ）に示すように、上方に立ち上げることができ、また図１０（Ｂ）に示すように、圧縮して折り畳むことができる。さらに、利用に際しても、立ち姿でシャワーしながら浴槽に入っている気分が味わえるシャワーと浴槽との双方の長所を合わせ持つことができる実施例１と同様の使用形態にて利用できる同様の作用効果が得られる。
【００７６】
さらに、このシャワー浴槽１０００の上環状ガイド筒１３０を拡縮する拡縮係止構造の一例を、図１１を参照して説明する。図１１（Ａ）はシャワー浴槽１０００の平面図を示し、上環状ガイド筒１３０の内部には該上環状ガイド筒１３０を大径に張設支持するための環状ワイヤー１０２０が挿通されている。
【００７７】
そして、図１１（Ｃ）に示すように、上環状ガイド筒１３０の正面中央部を一部切り欠いて環状ワイヤー１０２０を露出させた拡縮操作部１０３０を備えている。この拡縮操作部１０３０は、露出された環状ワイヤー１０２０を洗浄者が掴んで引っ張ると、該環状ワイヤー１０２０が縮まり、これに伴い上環状ガイド筒１３０は図１１（Ｂ）及び図１１（Ｄ）に示すように小径化する。
【００７８】
そして、上環状ガイド筒１３０が所望の径に縮小した時点で引っ張り出された環状ワイヤー１０２０の引き出し部分１０４０を、筒状シート１００の周辺に係止させて、環状ワイヤー１０２０を引き戻し規制させるとよい。
【００７９】
例えば、図１１（Ｃ）に示すように、筒状シート１００の正面側内面の中央上部に下向きに折曲したフック１０５０を上下左右の４ヶ所に配置し、これらのフック１０５０の係止位置を選択して、図１１（Ｄ）に示すように、引っ張り出された環状ワイヤー１０２０の引き出し部分１０４０を何れかのフック１０５０に係止させるとよい。これにより、環状ワイヤー１０２０の引き出し長さが調節されて上環状ガイド筒１３０を所望の大きさに縮小して調節することができる。図１１（Ｅ）は上環状ガイド筒１３０をやや小さく縮小化した係止例を示し、図１１（Ｆ）は十分に縮小化した係止例を示している。
【実施例５】
【００８０】
図１２（Ａ）及び図１２（Ｂ）は実施例５のシャワー浴槽１１００を示し、このシャワー浴槽１１００は、実施例１のシャワー浴槽１と比較して排水管１１１０を備えたことが異なり、他は同じ構成である。このため、同じ構成については同符号を用いてその同じ説明を省略し、異なる点についてのみ説明する。
【００８１】
この実施例５の特徴とする排水管１１１０は、筒状シート１００に溜まった湯を効率よく排水するためのものであり、該筒状シート１００の下部に、筒状シート１００の内部と連通して筒状シート１００の外部に略垂直に立ち上げている。
【００８２】
この排水管１１１０は、図１２（Ａ）に示すように、中間部に起立係止用のフランジ部１１２０を有し、このフランジ部１１２０は排水管１１１０が起立した時に筒状シート１００の外部に備えられたＣ型係止具１１３０と対応して着脱自在にして係止される。
【００８３】
排水管１１１０の下部には、該排水管１１１０を起立姿勢と傾倒姿勢とに切換え自在な可撓性の屈曲操作部１１４０が備えられている。この屈曲操作部１１４０を基点に該排水管１１１０は起立傾倒する。
【００８４】
この排水管１１１０は上端を開放しており、シャワー使用時に起立させておくことにより、筒状シート１００内に湯が溜まっても起立した排水管１１１０は筒状シート１００の内部と連通しているためパスカルの原理により排水管１１１０内の水位Ｌ１と筒状シート１００内の水位Ｌ２とは同水位高さとなり、通常の使用状態では該排水管１１１０から湯が溢れ出ることはない。つまり、排水管１１１０を傾倒しないかぎり排水せず、起立した排水管１１１０が栓の役目をすることになる。このため、筒状シート１００の下部に開閉栓を要しなくなる利点がある。
【００８５】
さらに、排水管１１１０の中間高さには、排水管１１１０の長さを調整するスライド操作部１１５０が備えられており、このスライド操作部１１５０を境とする軸方向の排水管下部側を大径管１１５１とし、上部側をスライド可能な小径管１１５２としている。そして、スライド操作部１１５０で小径管１１５２を固定あるいは開放操作して、大径管１１５１から突出する小径管１１５２の突出長さを調整するものである。
【００８６】
例えば、背の高い利用者の場合は、小径管１１５２を伸ばして排水管１１１０の起立高さを高くする。これにより、排水管１１１０内での水位と同水位高さとなる筒状シート１００内の湯を十分に溜めて深い浴槽として使用することができる。
【００８７】
これに対し、子供等の背の低い利用者の場合は、小径管１１５２を縮めて排水管１１１０の起立高さを低く設定することができる。これにより、排水管１１１０内での水位と同水位高さとなる筒状シート１００内の湯を低位利用者に適した深さの浴槽に設定して使用することができる。このように、この起立状態にある排水管１１１０は水位計としての役目を有することになり、誤ってシャワーを出し過ぎて筒状シート１００内に湯が必要以上に溜まろうとしても該排水管１１１０の上端開放部分からオーバーフローした湯が自然に外部に排出される。
【００８８】
ことに、排水管１１１０の高さをスライド調整して低水位深さになるように設定しているときは、設定された高さ以上に筒状シート１００内で湯が溜まろうとしても該排水管１１１０から余分な湯が外部に溢れ出るので、低水位の浴槽深さに保つことができる。このため、子供の使用等にあっても安全を確保した利用となる。
【００８９】
使用後に筒状シート１００内の湯を排水する場合は、図１２（Ｂ）に示すように、まず排水管１１１０を略水平状態に傾倒させる。これにより、該排水管１１１０が筒状シート１００内の湯を外部に排水する排水通路となり、筒状シート１００の下方から排水管１１１０を介して勢いよく排水させることができる。ここに用いられる排水管１１１０としては、塩化ビニールパイプ等の樹脂製の硬質パイプや軟質のビニールホース等でもよい。また、前記排水管１１１０の先端部にホースを繋いで所望の離れた位置へ排水するようにしてもよい。
【００９０】
上述のように、シャワー浴槽は温水シャワーを浴びる以外に、その温水を身体の周囲に円柱状に溜めてシャワーに用いた温水を有効に使用することができる。ことに、立ち姿の洗浄者の身体の回りを湯が包み込むという立ち風呂として利用できる。また、このときは温水シャワーを浴槽の湯として利用できるため水量を節約することができる。さらに、この立ち風呂として用いることができるシャワー浴槽は、立ち姿の洗浄者1人分のスペースがあればよく、大きな配置スペースを要しない利点がある。このほか介護用のシャワー浴槽としても有効に利用することができる。また、不使用時にはコンパクトに折り畳んで簡単に持ち運ぶことができる。
【００９１】
この発明の構成と、上述の実施例の構成との対応において、この発明は上述の実施例の構成に限定されるものではなく、請求項に記載される技術思想に基づいて応用することができる。
【００９２】
例えば、上述の実施例では耐久性や耐食性に優れたスプリング２００の一例を示したが、これに限らず、スプリング２００の材質を形状記憶合金により構成し、お湯をかけると、その温度に反応して折畳状態から立ち上がるように構成してもよい。
【産業上の利用可能性】
【００９３】
シャワーや浴槽を必要とする家庭や宿泊施設及び介護施設等のあらゆる場所で広く利用することができる。
【符号の説明】
【００９４】
１，８００，９００，１０００，１１００…シャワー浴槽
１００…筒状シート
１２０…筒状開口部
１４０…大径係止部
１５０…小径係止部
２００…スプリング
３００…飛散防止カバー
８１０，１０１０…支持リング
９１０…補強用の有底筒体
１１１０…排水管
【図１】
2011019787.tif 000003
【図２】
2011019787.tif 000004
【図３】
2011019787.tif 000005
【図４】
2011019787.tif 000006
【図５】
2011019787.tif 000007
【図６】
2011019787.tif 000008
【図７】
2011019787.tif 000009
【図８】
2011019787.tif 000010
【図９】
2011019787.tif 000011
【図１０】
2011019787.tif 000012
【図１１】
2011019787.tif 000013
【図１２】
2011019787.tif 000014